(57)【要約】【課題】デジタルスチルカメラで撮影して得たデジタル画像の活用をより安価に実現することができるデジタルスチルカメラ印刷システムおよびデジタルスチルカメラおよび印刷装置およびデジタルスチルカメラ印刷システムの制御方法およびデジタルスチルカメラ印刷システムのプログラムを提供すること目的とする。【解決手段】デジタルスチルカメラは、記憶媒体に背景画像および前景画像のレイアウト情報からなる背景印刷情報を記憶し、通信手段を介し、背景印刷情報と選択された１つ以上のデジタル画像ファイルデータを上記印刷装置へ送信し、印刷装置は、デジタルスチルカメラより背景印刷情報とデジタル画像ファイルデータを受信すると、背景印刷情報に含まれるレイアウト情報に従って受信したデジタル画像をレイアウトし、背景印刷情報に含まれる背景画像とレイアウトしたデジタル画像を合成し、その合成後の画像を印刷出力するようにした。【選択図】        図１
2006080632.tif 000002
【特許請求の範囲】
【請求項１】
撮影したデジタル画像を記憶媒体に記憶するとともに、外部装置へ接続し、その外部装置との間でデータをやりとりする機能を備えたデジタルスチルカメラと、このデジタルスチルカメラに接続してデジタルスチルカメラとの間でデータをやりとりする機能を備え、デジタルスチルカメラから受信した画像データを印刷する印刷装置からなるデジタルスチルカメラ印刷システムにおいて、
上記デジタルスチルカメラは、上記記憶媒体に背景画像および前景画像のレイアウト情報からなる背景印刷情報を記憶し、上記通信手段を介し、上記背景印刷情報と選択された１つ以上のデジタル画像ファイルデータを上記印刷装置へ送信し、
上記印刷装置は、上記デジタルスチルカメラより上記背景印刷情報とデジタル画像ファイルデータを受信すると、上記背景印刷情報に含まれるレイアウト情報に従って受信したデジタル画像をレイアウトし、上記背景印刷情報に含まれる背景画像と上記レイアウトしたデジタル画像を合成し、その合成後の画像を印刷出力することを特徴とするデジタルスチルカメラ印刷システム。
【請求項２】
前記デジタルスチルカメラは、前記デジタル画像を表示する表示手段と、
上記表示手段の表示内容から上記デジタル画像を選択操作する操作手段をさらに備えていることを特徴とする請求項１記載のデジタルスチルカメラ印刷システム。
【請求項３】
前記デジタルスチルカメラは、前記記憶媒体に前記背景印刷情報を複数格納し、前記印刷装置へ送信する背景印刷情報を選択可能であることを特徴とする請求項２記載のデジタルスチルカメラ印刷システム。
【請求項４】
前記背景画像は、モノクロ画像であることを特徴とする請求項１または請求項２または請求項３記載のデジタルスチルカメラ印刷システム。
【請求項５】
前記背景画像は、カラー画像であることを特徴とする請求項１または請求項２または請求項３記載のデジタルスチルカメラ印刷システム。
【請求項６】
前記背景印刷情報は、前記デジタルスチルカメラから前記印刷装置へ送信される際、転送単位を構成する１つのファイル情報として取り扱われることを特徴とする請求項１または請求項２または請求項３または請求項４または請求項５記載のデジタルスチルカメラ印刷システム。
【請求項７】
前記レイアウト情報は、１つ以上の前景画像の描画基準座標と、描画枠サイズ情報を含むことを特徴とする請求項１または請求項２または請求項３または請求項４または請求項５または請求項６記載のデジタルスチルカメラ印刷システム。
【請求項８】
前記レイアウト情報には、変倍情報も含むことを特徴とする請求項１または請求項２または請求項３または請求項４または請求項５または請求項６または請求項７記載のデジタルスチルカメラ印刷システム。
【請求項９】
前記レイアウト情報には、回転角度情報も含むことを特徴とする請求項１または請求項２または請求項３または請求項４または請求項５または請求項６または請求項７または請求項８記載のデジタルスチルカメラ印刷システム。
【請求項１０】
撮影したデジタル画像を記憶媒体に記憶するとともに、外部装置へ接続し、その外部装置との間でデータをやりとりする機能を備えたデジタルスチルカメラにおいて、
上記記憶媒体に背景画像および前景画像のレイアウト情報からなる背景印刷情報を記憶し、上記通信手段を介し、上記背景印刷情報と選択された１つ以上のデジタル画像ファイルデータを上記印刷装置へ送信することを特徴とするデジタルスチルカメラ。
【請求項１１】
デジタルスチルカメラに接続してデジタルスチルカメラとの間でデータをやりとりする機能を備え、デジタルスチルカメラから受信した画像データを印刷する印刷装置において、
上記デジタルスチルカメラより、背景画像および前景画像のレイアウト情報からなる背景印刷情報とデジタル画像ファイルデータを受信すると、上記背景印刷情報に含まれるレイアウト情報に従って受信したデジタル画像をレイアウトし、上記背景印刷情報に含まれる背景画像と上記レイアウトしたデジタル画像を合成し、その合成後の画像を印刷出力することを特徴とする印刷装置。
【請求項１２】
撮影したデジタル画像を記憶媒体に記憶するとともに、外部装置へ接続し、その外部装置との間でデータをやりとりする機能を備えたデジタルスチルカメラと、このデジタルスチルカメラに接続してデジタルスチルカメラとの間でデータをやりとりする機能を備え、デジタルスチルカメラから受信した画像データを印刷する印刷装置からなるデジタルスチルカメラ印刷システムの制御方法において、
上記デジタルスチルカメラは、上記記憶媒体に背景画像および前景画像のレイアウト情報からなる背景印刷情報を記憶し、上記通信手段を介し、上記背景印刷情報と選択された１つ以上のデジタル画像ファイルデータを上記印刷装置へ送信し、
上記印刷装置は、上記デジタルスチルカメラより上記背景印刷情報とデジタル画像ファイルデータを受信すると、上記背景印刷情報に含まれるレイアウト情報に従って受信したデジタル画像をレイアウトし、上記背景印刷情報に含まれる背景画像と上記レイアウトしたデジタル画像を合成し、その合成後の画像を印刷出力することを特徴とするデジタルスチルカメラ印刷システムの制御方法。
【請求項１３】
撮影したデジタル画像を記憶媒体に記憶するとともに、外部装置へ接続し、その外部装置との間でデータをやりとりする機能を備えたデジタルスチルカメラと、このデジタルスチルカメラに接続してデジタルスチルカメラとの間でデータをやりとりする機能を備え、デジタルスチルカメラから受信した画像データを印刷する印刷装置からなるデジタルスチルカメラ印刷システムのプログラムにおいて、
上記デジタルスチルカメラについて、上記記憶媒体に背景画像および前景画像のレイアウト情報からなる背景印刷情報を記憶し、上記通信手段を介し、上記背景印刷情報と選択された１つ以上のデジタル画像ファイルデータを上記印刷装置へ送信するステップと、
上記印刷装置は、上記デジタルスチルカメラより上記背景印刷情報とデジタル画像ファイルデータを受信すると、上記背景印刷情報に含まれるレイアウト情報に従って受信したデジタル画像をレイアウトし、上記背景印刷情報に含まれる背景画像と上記レイアウトしたデジタル画像を合成し、その合成後の画像を印刷出力するステップを備えたことを特徴とするデジタルスチルカメラ印刷システムのプログラム。
【発明の詳細な説明】
【技術分野】
【０００１】
本発明は、デジタルスチルカメラ印刷システムおよびデジタルスチルカメラおよび印刷装置およびデジタルスチルカメラ印刷システムの制御方法およびデジタルスチルカメラ印刷システムのプログラムに関する。
【背景技術】
【０００２】
従来、撮影したデジタル画像を記憶媒体に記憶するとともに、外部装置へ接続し、その外部装置との間でデータをやりとりする機能を備えたデジタルスチルカメラでは、撮影したデジタル画像の画像を紙媒体へ印刷出力する際、一旦、パーソナルコンピュータ装置等の外部データ装置へ記憶媒体に記憶したデジタル画像を送り、この外部データ装置の編集印刷機能（アプリケーション）を利用して、印刷装置から印刷するようにしていた。
【０００３】
あるいは、デジタルスチルカメラの記憶媒体を取り外し、この記憶媒体に記憶しているデジタル画像をＤＰＥ店のサービス、あるいは、店頭のデジタルスチルカメラ用プリンタ装置で印刷していた。
【０００４】
このようにして、デジタルスチルカメラで撮影して得たデジタル画像を印刷する際、外部記憶装置等を必要とするため、手軽に行えないという事情があった。
【０００５】
そこで、デジタルスチルカメラに接続し、デジタルスチルカメラとの間でデータをやりとりする機能を備え、デジタルスチルカメラから受信した画像データを印刷することができるようにした印刷装置が実用されている。
【０００６】
このような印刷装置の機能は、いわゆるダイレクトプリント機能と称される。
【０００７】
さて、このようにして、ダイレクトプリント機能を備えた印刷装置を利用することで、デジタルスチルカメラで撮影して得たデジタル画像の画像を手軽に印刷することができるようになった。
【０００８】
しかしながら、ダイレクトプリント機能を利用する際のユーザ操作は、デジタルスチルカメラに設けられた表示部と、操作部を使って行うものであるため、外部データ装置を利用して印刷する際に比べて、例えば、レイアウト等の印刷の自由度が低く、比較的単純な印刷物しか得ることができなかった。
【０００９】
また、そもそも、ダイレクトプリント機能では、銀塩写真と同等の印刷機能、すなわち、撮影した画像を忠実に再現した状態で印刷物として出力するという機能、あるいは、画像に多少の編集（画質補正等）を加えた印刷物を出力するという機能を実現することのみが考慮されていることから、例えば、メモ用の罫線欄等の余分な画像領域を設けたり、定型書式に画像をレイアウトして印刷出力するというようなユーティリティ的な印刷機能は考慮されていない。
【００１０】
このような事情から、例えば、デジタルスチルカメラに拡張的に取り付けられた画像合成ユニットを用いて背景画像と前景画像（撮影して得たデジタル画像）とを合成し、印刷装置へ送って印刷出力させるようにしたもの（特許文献１参照）や、印刷装置に接続されたパーソナルコンピュータ装置から背景用データを印刷装置へ送り、この背景用データと、デジタルスチルカメラから送られた印刷用のデジタル画像データとを合成し、合成後の画像を印刷出力するようにしたもの（特許文献２参照）や、あらかじめ作成した画像をデジタルスチルカメラに保持し、撮影したデジタル画像と保持している画像とを合成し、合成後の画像を印刷装置へ送って印刷出力するようにしたもの（特許文献３参照）が提案されている。
【特許文献１】特開平１１−８８３１号公報
【特許文献２】特開２０００−７１５７５号公報
【特許文献３】特開２００２−１６８３３号公報
【発明の開示】
【発明が解決しようとする課題】
【００１１】
しかしながら、特許文献１の場合には、画像合成ユニットが必要となり、コストが嵩むという問題がある。また、特許文献２の場合には、パーソナルコンピュータ装置等の外部データ装置が必要となるという問題がある。また、特許文献３の場合には、保持している画像と撮影したデジタル画像とをデジタルスチルカメラ側で合成処理するため、デジタルスチルカメラの処理負担が大きく、これを実現するためには、デジタルスチルカメラに高速処理可能なプロセッサと大容量のメモリを必要とするため、デジタルスチルカメラのコストが嵩むという問題がある。
【００１２】
本発明は、かかる実情に鑑みてなされたものであり、デジタルスチルカメラで撮影して得たデジタル画像の活用をより安価に実現することができるデジタルスチルカメラ印刷システムおよびデジタルスチルカメラおよび印刷装置およびデジタルスチルカメラ印刷システムの制御方法およびデジタルスチルカメラ印刷システムのプログラムを提供すること目的とする。
【課題を解決するための手段】
【００１３】
本発明は、撮影したデジタル画像を記憶媒体に記憶するとともに、外部装置へ接続し、その外部装置との間でデータをやりとりする機能を備えたデジタルスチルカメラと、このデジタルスチルカメラに接続してデジタルスチルカメラとの間でデータをやりとりする機能を備え、デジタルスチルカメラから受信した画像データを印刷する印刷装置からなるデジタルスチルカメラ印刷システムにおいて、上記デジタルスチルカメラは、上記記憶媒体に背景画像および前景画像のレイアウト情報からなる背景印刷情報を記憶し、上記通信手段を介し、上記背景印刷情報と選択された１つ以上のデジタル画像ファイルデータを上記印刷装置へ送信し、上記印刷装置は、上記デジタルスチルカメラより上記背景印刷情報とデジタル画像ファイルデータを受信すると、上記背景印刷情報に含まれるレイアウト情報に従って受信したデジタル画像をレイアウトし、上記背景印刷情報に含まれる背景画像と上記レイアウトしたデジタル画像を合成し、その合成後の画像を印刷出力するようにしたものである。
【００１４】
また、前記デジタルスチルカメラは、前記デジタル画像を表示する表示手段と、上記表示手段の表示内容から上記デジタル画像を選択操作する操作手段をさらに備えているものである。
【００１５】
また、前記デジタルスチルカメラは、前記記憶媒体に前記背景印刷情報を複数格納し、前記印刷装置へ送信する背景印刷情報を選択可能にしたものである。
【００１６】
また、前記背景画像は、所定画像データフォーマットのモノクロ画像データ、あるいは、カラー画像データである。
【００１７】
また、前記背景印刷情報は、前記デジタルスチルカメラから前記印刷装置へ送信される際、転送単位を構成する１つのファイル情報として取り扱われるものである。
【００１８】
また、前記レイアウト情報は、１つ以上の前景画像の描画基準座標と、描画枠サイズ情報を含むものである。
【００１９】
また、前記レイアウト情報には、変倍情報も含むものである。また、前記レイアウト情報には、回転角度情報も含むものである。
【００２０】
また、撮影したデジタル画像を記憶媒体に記憶するとともに、外部装置へ接続し、その外部装置との間でデータをやりとりする機能を備えたデジタルスチルカメラにおいて、上記記憶媒体に背景画像および前景画像のレイアウト情報からなる背景印刷情報を記憶し、上記通信手段を介し、上記背景印刷情報と選択された１つ以上のデジタル画像ファイルデータを上記印刷装置へ送信するようにしたものである。
【００２１】
また、デジタルスチルカメラに接続してデジタルスチルカメラとの間でデータをやりとりする機能を備え、デジタルスチルカメラから受信した画像データを印刷する印刷装置において、上記デジタルスチルカメラより、背景画像および前景画像のレイアウト情報からなる背景印刷情報とデジタル画像ファイルデータを受信すると、上記背景印刷情報に含まれるレイアウト情報に従って受信したデジタル画像をレイアウトし、上記背景印刷情報に含まれる背景画像と上記レイアウトしたデジタル画像を合成し、その合成後の画像を印刷出力するようにしたものである。
【００２２】
また、撮影したデジタル画像を記憶媒体に記憶するとともに、外部装置へ接続し、その外部装置との間でデータをやりとりする機能を備えたデジタルスチルカメラと、このデジタルスチルカメラに接続してデジタルスチルカメラとの間でデータをやりとりする機能を備え、デジタルスチルカメラから受信した画像データを印刷する印刷装置からなるデジタルスチルカメラ印刷システムの制御方法において、上記デジタルスチルカメラは、上記記憶媒体に背景画像および前景画像のレイアウト情報からなる背景印刷情報を記憶し、上記通信手段を介し、上記背景印刷情報と選択された１つ以上のデジタル画像ファイルデータを上記印刷装置へ送信し、上記印刷装置は、上記デジタルスチルカメラより上記背景印刷情報とデジタル画像ファイルデータを受信すると、上記背景印刷情報に含まれるレイアウト情報に従って受信したデジタル画像をレイアウトし、上記背景印刷情報に含まれる背景画像と上記レイアウトしたデジタル画像を合成し、その合成後の画像を印刷出力するようにしたものである。
【００２３】
また、撮影したデジタル画像を記憶媒体に記憶するとともに、外部装置へ接続し、その外部装置との間でデータをやりとりする機能を備えたデジタルスチルカメラと、このデジタルスチルカメラに接続してデジタルスチルカメラとの間でデータをやりとりする機能を備え、デジタルスチルカメラから受信した画像データを印刷する印刷装置からなるデジタルスチルカメラ印刷システムのプログラムにおいて、上記デジタルスチルカメラについて、上記記憶媒体に背景画像および前景画像のレイアウト情報からなる背景印刷情報を記憶し、上記通信手段を介し、上記背景印刷情報と選択された１つ以上のデジタル画像ファイルデータを上記印刷装置へ送信するステップと、上記印刷装置は、上記デジタルスチルカメラより上記背景印刷情報とデジタル画像ファイルデータを受信すると、上記背景印刷情報に含まれるレイアウト情報に従って受信したデジタル画像をレイアウトし、上記背景印刷情報に含まれる背景画像と上記レイアウトしたデジタル画像を合成し、その合成後の画像を印刷出力するステップを備えたものである。
【発明の効果】
【００２４】
したがって、本発明によれば、ダイレクトプリントの装置構成を用いて、撮影した画像を背景画像にレイアウトした印刷物を印刷出力することができるので、システムの利便性が向上するという効果を得る。
【００２５】
また、背景画像および前景画像のレイアウト情報からなる背景印刷情報は、１つのファイルとして取り扱われるので、既存のデジタルプリント規格を利用して、デジタルスチルカメラから印刷装置へ送信することができ、非常に汎用的に使用することができるという効果も得る。
【発明を実施するための最良の形態】
【００２６】
以下、添付図面を参照しながら、本発明の実施の形態を詳細に説明する。
【００２７】
図１（ａ）は、本発明の一実施例にかかるデジタルスチルカメラ印刷システムの一例を示している。
【００２８】
同図において、デジタルスチルカメラ装置ＤＳＣは、撮影して得たデジタル画像データをメモリ媒体（記憶媒体；後述）に保存するとともに、印刷装置ＰＴＲに接続し、印刷指示するファイル情報を印刷装置ＰＴＲに転送する機能を備えており、また、後述するように、メモリ媒体には、背景印刷情報を複数記憶している。また、印刷装置ＰＴＲに転送する印刷ファイル情報には、１つの背景印刷情報と、１つ以上のデジタル画像データ（前景画像情報）を含むことができる。
【００２９】
印刷装置ＰＴＲは、デジタルスチルカメラ装置ＤＳＣより印刷ファイル情報を受信すると、受信した印刷ファイル情報に背景印刷情報が含まれている場合には、その背景印刷情報に含まれるレイアウト情報に従って、受信した前景画像をレイアウトし、背景印刷情報に含まれる背景画像とレイアウトした前景画像を合成し、その合成後の画像を印刷出力する。また、印刷ファイル情報に背景印刷情報が含まれていない場合には、前景画像を印刷出力する。
【００３０】
ここで、デジタルスチルカメラ装置ＤＳＣは、印刷装置ＰＲＴ等の外部装置と接続してデータをやりとりするための外部通信ユニットを備えている。この外部通信ユニットとしては、ＵＳＢ（Ｕｎｉｖｅｒｓａｌ  Ｓｅｒｉａｌ  Ｂｕｓ）等の汎用通信ユニットを備えており、同図（ｂ）に示すように、パーソナルコンピュータ装置ＰＣのような外部データ処理装置に接続することもできる。
【００３１】
また、デジタルスチルカメラ装置ＤＳＣは、ＵＳＢのストレージクラスの機能を有し、パーソナルコンピュータ装置ＰＣと接続したとき、パーソナルコンピュータ装置ＰＣからは外部記憶媒体として認識され、パーソナルコンピュータ装置ＰＣのユーザは、任意にその記憶領域へアクセスすることができる。
【００３２】
このように、デジタルスチルカメラ装置ＤＳＣがパーソナルコンピュータ装置ＰＣに接続される場合には、パーソナルコンピュータ装置ＰＣで作成した背景印刷情報が、デジタルスチルカメラ装置ＤＳＣのメモリ媒体に設けた特定記憶領域（後述）に保存される。
【００３３】
一方、デジタルスチルカメラ装置ＤＳＣを印刷装置ＰＲＴへ接続したとき、デジタルスチルカメラ装置ＤＳＣと印刷装置ＰＲＴとの間のデータのやりとりは、ＰｉｃｔＢｒｉｄｇｅ（ＣＩＰＡ（有限責任中間法人カメラ映像機器工業会）規格ＣＩＰＡ  ＤＣ−  ００１−２００３  Ｄｉｇｉｔａｌ  Ｐｈｏｔｏ  Ｓｏｌｕｔｉｏｎｓ  ｆｏｒ  Ｉｍａｇｉｎｇ  Ｄｅｖｉｃｅｓ）に準じたプロトコル、および、データ形式を適用して行われる。
【００３４】
図２は、デジタルスチルカメラ装置ＤＳＣの構成の一例を示している。
【００３５】
同図において、システム制御部１は、このデジタルスチルカメラ装置ＤＳＣの各部の動作制御、メモリ媒体ＭＣに対するデータの読出書込制御、撮影制御、外部通信ユニットを介して行う外部装置との間の通信制御、および、ユーザがこのデジタルスチルカメラ装置ＤＳＣを操作する際の種々のユーザ・インタフェース処理等の種々のデータ処理を行うためのものであり、システムメモリ２は、システム制御部１が実行する種々の制御プログラムを記憶するとともに、システム制御部１のワークエリアを構成するものであり、パラメータメモリ３は、このデジタルスチルカメラ装置ＤＳＣに固有な種々の情報を記憶するためのものであり、時計回路４は、現在時刻情報等を出力するためのものである。
【００３６】
メモリ媒体リーダライタ５は、メモリ媒体ＭＣを着脱するとともに、装着されているメモリ媒体ＭＣに対するデータの読出書込を行うためのものであり、撮影ユニット６は、カメラ撮影のためのカメラ機構、光学系および光電変換ユニットからなるものであり、表示部７は、ユーザに対して種々の情報を表示するものであり、例えば、液晶表示器からなる。また、操作部８は、ユーザがこのデジタルスチルカメラ装置ＤＳＣを操作するためのものであり、種々のキー等から構成される。
【００３７】
外部通信ユニット９は、ＵＳＢ（Ｕｎｉｖｅｒｓａｌ  Ｓｅｒｉａｌ  Ｂｕｓ）等の汎用通信ユニットからなり、印刷装置ＰＲＴやパーソナルコンピュータ装置ＰＣ等の外部装置に接続し、これらの外部装置との間でデータのやりとりを行うためのものである。
【００３８】
これらのシステム制御部１、システムメモリ２、パラメータメモリ３、時計回路４、メモリ媒体リーダライタ５、撮影ユニット６、表示部７、操作部８、および、外部通信ユニット９は、内部バス１０に接続され、これらの各部のデータのやりとりは、主としてこの内部バス１０を介して行われる。
【００３９】
図３は、印刷装置ＰＲＴの構成例を示している。
【００４０】
同図において、システム制御部２１は、この印刷装置ＰＲＴの各部の動作制御、給紙制御、印刷制御、外部通信ユニットを介して行う外部装置との間の通信制御、および、ユーザがこの印刷装置ＰＲＴを操作する際の種々のユーザ・インタフェース処理等の種々のデータ処理を行うためのものであり、システムメモリ２２は、システム制御部２１が実行する種々の制御プログラムを記憶するとともに、システム制御部２１のワークエリアを構成するものであり、パラメータメモリ２３は、この印刷装置ＰＲＴに固有な種々の情報を記憶するためのものであり、時計回路２４は、現在時刻情報等を出力するためのものである。
【００４１】
ページバッファメモリ２５は、１ページ分の印刷データを保存するためのものであり、プリントユニット２６は、用紙に画像を印刷するためのものであり、操作表示部２７は、ユーザがこの印刷装置ＰＲＴを操作するためのユーザ・インタフェースを構成するものである。
【００４２】
外部通信ユニット２８は、ＵＳＢ（Ｕｎｉｖｅｒｓａｌ  Ｓｅｒｉａｌ  Ｂｕｓ）等の汎用通信ユニットからなり、デジタルスチルカメラ装置ＤＳＣやパーソナルコンピュータ装置ＰＣ等の外部装置に接続し、これらの外部装置との間でデータのやりとりを行うためのものである。
【００４３】
これらのシステム制御部２１、システムメモリ２２、パラメータメモリ２３、時計回路２４、ページバッファ２５、プリントユニット２６、操作表示部２７、および、外部通信ユニット２８は、内部バス２９に接続され、これらの各部のデータのやりとりは、主としてこの内部バス２９を介して行われる。
【００４４】
図４は、パーソナルコンピュータ装置ＰＣの構成例を示している。
【００４５】
同図において、ＣＰＵ（中央処理装置）３１は、このパーソナルコンピュータ装置ＰＣの動作制御を行うものであり、ＲＯＭ（リード・オンリ・メモリ）３２は、ＣＰＵ３１が起動時に実行するプログラムや必要なデータ等を記憶するためのものであり、ＲＡＭ（ランダム・アクセス・メモリ）３３は、ＣＰＵ２１のワークエリア等を構成するためのものである。
【００４６】
キャラクタジェネレータ３４は、図形文字の表示データを発生するためのものであり、時計回路３５は、現在日時情報を出力するためのものであり、外部通信ユニット３６は、ＵＳＢ（Ｕｎｉｖｅｒｓａｌ  Ｓｅｒｉａｌ  Ｂｕｓ）等の汎用通信ユニットからなり、このパーソナルコンピュータ装置ＰＣにデジタルスチルカメラ装置ＤＳＣ等の外部装置を接続するためのものである。
【００４７】
磁気ディスク装置３７は、種々のアプリケーションプログラム、ワークデータ、ファイルデータ、画情報データなどの種々のデータを記憶するためのものであり、ＣＤ−ＲＯＭ装置３８は、交換可能な記録媒体であるＣＤ−ＲＯＭ３９のデータを読み込むためのものであり、ＣＲＴ画面表示装置４０は、このパーソナルコンピュータ装置ＰＣを操作するための画面を表示するためのものであり、表示制御部４１は、ＣＲＴ画面表示装置４０の表示内容を制御するためのものである。
【００４８】
キーボード装置４２は、このパーソナルコンピュータ装置ＰＣに種々のキー操作を行うためのものであり、画面指示装置４３は、ＣＲＴ画面表示装置４０の任意の点を指示する等の操作作業を行うためのものであり、入力制御部４４は、キーボード装置４２および画面指示装置４３の入力情報を取り込む等するためのものである。
【００４９】
これらのＣＰＵ３１、ＲＯＭ３２、ＲＡＭ３３、キャラクタジェネレータ３４、時計回路３５、外部通信ユニット３６、磁気ディスク装置３７、ＣＤ−ＲＯＭ装置３８、表示制御部４１、および、入力制御部４４は、内部バス４５に接続されており、これらの各要素間のデータのやりとりは、主としてこの内部バス４５を介して行われる。
【００５０】
さて、デジタルスチルカメラ装置ＤＳＣのメモリ媒体ＭＣの記憶領域は、図５（ａ）に示すように、撮影したデジタル画像データを保存するための撮影画像データ領域と、背景印刷情報を保存するための背景印刷データ領域に分割されている。例えば、デジタルスチルカメラ装置ＤＳＣをパーソナルコンピュータ装置ＰＣに接続した場合、パーソナルコンピュータ装置ＰＣからは、デジタルスチルカメラ装置ＤＳＣに対応した外部記憶装置として、撮影画像データ領域に対応したディレクトリ（フォルダ）と、背景印刷データ領域に対応したディレクトリがそれぞれ認識されることとなる。したがって、パーソナルコンピュータ装置ＰＣのユーザが背景印刷情報を作成して保存するとき、この背景印刷データ領域に背景印刷情報のデータファイルを保存することとなる。
【００５１】
同図（ｂ）は、背景印刷情報の一例を示している。背景印刷情報は、１つ以上の前景画像（撮影されたデジタル画像）のレイアウト情報と、印刷の背景画像の背景画像データを組にしたものであり、転送時には、１つのデータファイルとして取り扱われる。
【００５２】
レイアウト情報は、同図（ｂ）に示すように、前景画像のコマ数（ｋ）と、それぞれの前景画像のレイアウト情報である前景画像描画情報＃１〜＃ｋからなる。また、おのおのの前景画像描画情報は、同図（ｄ）に示すように、描画基準位置、描画サイズ、変倍態様、および、回転角度からなる。
【００５３】
すなわち、図６（ａ）に示すように、例えば、前景画像を配置する２つの表示枠ＦＬ１，ＦＬ２が設けられる場合、レイアウト情報には、２つの前景画像描画情報＃１，＃２が設けられる。そして、１つ目の前景画像描画情報の描画基準位置には、表示枠ＦＬ１の左上の点Ｐ１の座標値が保存され、描画サイズは、表示枠ＦＬ１の高さＨ１と幅Ｗ１が保存される。また、回転角度は、０°が保存され、変倍態様として「アスペクト比を維持」が保存される。同様に、２つ目の前景画像描画情報の描画基準位置には、表示枠ＦＬ２の左上の点Ｐ２の座標値が保存され、描画サイズは、表示枠ＦＬ２の高さＨ２と幅Ｗ２が保存される。また、回転角度は、０°が保存され、変倍態様として「アスペクト比を維持」が保存される。
【００５４】
ここで、回転角度については、図７（ａ）に示すように、基準点Ｐを基準とした枠ＦＬの回転角度が保存される。また、角度値のプラス値は反時計回り方向をあらわし、マイナス値は時計回り方向をあらわす。
【００５５】
また、変倍態様は、「アスペクト比（高さ寸法と幅寸法の比）を維持」と、「表示枠にフィット」の２種類がある。例えば、図７（ｂ）に示すように、表示枠ＦＬよりも大きいサイズの前景画像ＰＴを、表示枠ＦＬに配置する場合、「アスペクト比を維持」が設定されているときには、同図（ｃ）に示すように、高さ方向の画像が表示枠ＦＬに一致するように高さ方向と幅方向を同じ変倍率で変倍（この場合は、縮小）した縮小画像ＰＴａを、表示枠ＦＬに配置する。また、「表示枠にフィット」が設定されているときには、同図（ｄ）に示すように、高さ方向の寸法が表示枠ＦＬの高さ寸法に一致するように高さを変倍するとともに、幅方向の寸法が表示枠ＦＬの幅寸法に一致するように幅を変倍した縮小画像ＰＴｂを、表示枠ＦＬに配置する。
【００５６】
図８は、ＰｉｃｔＢｒｉｄｇｅに準拠した通信プロトコルの一例を示している。この場合、デジタルスチルカメラ装置ＤＳＣから印刷装置ＰＴＲに対して印刷情報を送信している。
【００５７】
まず、デジタルスチルカメラ装置ＤＳＣを印刷装置ＰＴＲへ接続すると、相互の機能の交換が行われ、デジタルスチルカメラ装置ＤＳＣは印刷装置ＰＴＲが接続されたと認識し、印刷装置ＰＴＲはデジタルスチルカメラ装置ＤＳＣが接続されたと認識する。
【００５８】
次いで、デジタルスチルカメラ装置ＤＳＣは、ＤＰＳ＿ＣｏｎｆｉｇｕｒｅＰｒｉｎｔＳｅｒｖｉｃｅを印刷装置ＰＴＲへ送出し、プリント機能を要求するとともにストレージ機能を有している旨を通知する。これに対し、印刷装置ＰＴＲは、プリント機能を提供できること、および、ストレージ機能を利用する旨を応答する（応答方向の信号は略；以下同じ）。
【００５９】
次に、デジタルスチルカメラ装置ＤＳＣは、ＤＰＳ＿ＧｅｔＣａｐａｂｉｌｉｔｙを印刷装置ＰＴＲへ送出し、設定可能な機能を印刷装置ＰＴＲに問い合わせる。これに対し、印刷装置ＰＴＲは、設定可能な機能を通知する。
【００６０】
この段階で、デジタルスチルカメラ装置ＤＳＣでは、表示部７に、印刷する画像を選択する画面を表示して、ユーザにより、背景印刷情報と１つ以上の前景画像（撮影画像）を選択させる。選択が終了すると、ユーザは、デジタルスチルカメラ装置ＤＳＣに対して印刷を指示する。
【００６１】
これにより、デジタルスチルカメラ装置ＤＳＣは、ＤＰＳ＿ＳｔａｒｔＪｏｂを印刷装置ＰＴＲへ送出し、各種印刷設定情報を通知するとともに、印刷開始を指示する。
【００６２】
それにより、印刷装置ＰＴＲは、ＤＰＳ＿ＧｅｔＦｉｌｅＩｎｆｏをデジタルスチルカメラ装置ＤＳＣに送出して、印刷に必要な画像ファイルのサイズ等の情報を要求する。デジタルスチルカメラ装置ＤＳＣは、選択された背景印刷情報および前景画像のファイルサイズ等の情報を印刷装置ＰＴＲへ通知する。
【００６３】
次いで、印刷装置ＰＴＲは、ＤＰＳ＿ＧｅｔＦｉｌｅをデジタルスチルカメラ装置ＤＳＣへ送出して、指定された背景印刷情報および前景画像を転送するように要求する。
【００６４】
それにより、デジタルスチルカメラ装置ＤＳＣは、背景印刷情報および前景画像を、図９に示すような一連の送信画像データとして、印刷装置ＰＴＲへ転送する。例えば、図６（ａ），（ｂ）に示すように２つのレイアウト枠がある背景印刷情報では、最初に背景印刷情報を送信し、続いて、２つの前景画像の画像データを連続して送信する。ＰｉｃｔＢｒｉｄｇｅでは、画像データファイル単位に情報を転送する旨が規定されているので、このようにして、背景印刷情報を１つの画像データファイルとして取り扱っている。
【００６５】
これにより、印刷装置ＰＴＲでは、受信した最初の画像データファイルを調べ、それが背景印刷情報である場合には、後続の受信した画像データファイルを前景画像として取り扱い、背景印刷情報のレイアウト情報に従って、背景印刷情報の背景画像データに配置する。例えば、レイアウトが図６（ａ）に示すようなものであり、また、背景画像が、図６（ｂ）に示すようなメモを書き込めるような罫線欄の表示画像である場合、２つの前景画像（同図（ｃ）参照）を背景画像に合成すると、同図（ｄ）に示すような画像が得られ、このような合成後の画像が、印刷装置ＰＴＲより記録出力される。
【００６６】
このような印刷動作を終了すると、印刷装置ＰＴＲは、ＤＰＳ＿ＮｏｔｉｆｙＤｅｖｉｃｅＳｔａｔｕｓをデジタルスチルカメラ装置ＤＳＣへ送出して、印刷動作が終了した旨を通知する。
【００６７】
図１０は、デジタルスチルカメラ装置ＤＳＣの処理の一例を示している。
【００６８】
まず、印刷装置ＰＴＲへ接続し（処理１０１）、ユーザに背景印刷情報と前景画像を選択させる（処理１０２，１０３）。次いで、ＰｉｃｔＢｒｉｄｇｅの通信手順に従って、選択された背景印刷情報の背景画像データを順次印刷装置ＰＴＲへ送信する（処理１０４）。
【００６９】
図１１および図１２は、印刷装置ＰＴＲの処理の一例を示している。
【００７０】
まず、デジタルスチルカメラ装置ＤＳＣへ接続し（処理２０１）、ＰｉｃｔＢｒｉｄｇｅの通信手順に従って画像データを受信して保存する（処理２０２）。ここで、受信したファイル数が２以上であったかどうかを調べ（判断２０３）、判断２０３の結果がＮＯになるときには、処理２０４へ進み、通常の印刷処理を行って、このときの動作を終了する。
【００７１】
また、判断２０３の結果がＮＯになるときには、受信したファイルの１つ目の内容を調べて（処理２０５）、それが背景印刷情報であったかどうかを調べる（判断２０６）。判断２０６の結果がＮＯになるときには、処理２０４へ進み、通常の印刷処理を行って、このときの動作を終了する。
【００７２】
また、判断２０６の結果がＹＥＳになるときには、まず、背景印刷情報に含まれる背景画像データをデコードし、ページバッファに展開保存する（処理２０７）。このときに展開保存した際のページバッファのサイズと背景画像データのサイズとの関係から、１ページ分の画像を配置する際のレイアウト領域の変換情報を算出する（処理２０８）。例えば、背景画像データのサイズとページバッファのサイズが不一致の場合で、背景画像データを変倍する必要がある場合、変倍率を算出する等の処理である。
【００７３】
次いで、変数ｉ，ｊにそれぞれ１を代入する（処理２０９）。
【００７４】
そして、ｉ番目の前景画像をデコードして一時保存し（処理２１０）、背景印刷情報のｉ番目のレイアウト情報を読込み（処理２１１）、処理２０８で算出した変換情報を適用してレイアウト情報の座標値などを変換する（処理２１２）。
【００７５】
次に、変換後の座標値に従って表示枠ＦＬの領域を規定し、変倍態様等を適用して処理２１０で一時保存した前景画像データが表示枠ＦＬに配置されるようにページバッファへ保存する（処理２１３）。
【００７６】
ここで、全ての前景画像について処理が終了したかどうかを調べ（判断２１４）、判断２１４の結果がＹＥＳになるときには、ページバッファの内容を印刷出力する（処理２１５）。
【００７７】
また、判断２１４の結果がＮＯになるときには、変数ｊの値がコマ数に一致するかどうかを調べる（判断２１６）。判断２１６の結果がＹＥＳになるときには、１ページ分の印刷データがページバッファに揃っているので、ページバッファの内容を印刷出力し（処理２１７）、変数ｊの値を０にクリアする（処理２１８）。次いで、変数ｉ，ｊの値をそれぞれインクリメントし（処理２１９）、処理２１０へ戻って、次の前景画像についての処理を行う。また、判断２１６の結果がＮＯになるときには、処理２１７，２１８をスキップして、処理２１９へと進む。
【００７８】
以上説明したように、本発明によれば、背景用データと前景描画用画像データとを連続して送信することで、背景画像データと前景画像の合成出力が得られるので、背景画像を事前に第三の機器から送信する必要がなく、ＰｉｃｔＢｒｉｄｇｅ等の規格化された通信フォーマットに準じた通信を行うことができる。
【００７９】
また、デジタルスチルカメラのモニター等の表示装置において、背景用画像データを表示することができ、また背景用画像の選択を行うことができるため、ユーザは容易に合成出力を行うことができる。
【００８０】
また、背景用データは、レイアウト情報のパラメータを格納したデータと、一般的なフォーマットの画像データの連続データであり、それを１ファイルとして扱うことができるため、ＰｉｃｔＢｒｉｄｇｅ等の規格化された通信フォーマットに準じた通信を行うことができる。またそのファイルを受信したプリンタ等の出力機器にとっては、レイアウト情報パラメータ部分と、背景画像とを分離して処理することが可能なため、合成処理を行うために必要な開発の工数を極力抑えることが可能となる。
【００８１】
また、背景用データに含まれる背景用画像データは一般的なフォーマットの画像ファイルであるため、出力機器にてそのファイルフォーマットのデコードが可能であれば、容易に背景画像の合成処理を行うことができる。
【００８２】
また、背景上に描画を行う前景画像の画像数を含むことで、プリンタ等の出力機器は、その画像数分の描画を行うジョブとして扱うことができるため、規格化された通信フォーマットで描画するコマ数を指定されたときと同様の処理を行うことができる。
【００８３】
また、背景用データのレイアウト情報パラメータとして、背景画像に対する前景画像の描画座標とその大きさを含めることができるので、いろいろな背景フォーマットとの合成処理が可能となる。
【００８４】
また、背景用データのレイアウト情報パラメータとして、前景画像を描画する基準枠への変倍方法の指定がかのうであるため、画像のアスペクト比によらずに任意の大きさで出力が可能となり、利便性が高まる。
【００８５】
また、背景用データのレイアウト情報パラメータとして、画像の回転角度を指定することが可能であるため、いろいろな背景フォーマットとの合成処理が可能となる。
【００８６】
なお、上述した実施例では、デジタルスチルカメラ装置ＤＳＣに印刷装置ＰＴＲを接続した場合について説明したが、デジタルスチルカメラ機能を有するデジタルビデオカメラ装置や、携帯端末装置（いわゆる、携帯電話等）についても、本発明を同様にして適用することができる。
【図面の簡単な説明】
【００８７】
【図１】本発明の一実施例にかかるデジタルスチルカメラ印刷システムの一例を示したブロック図。
【図２】デジタルスチルカメラ装置ＤＳＣの構成の一例を示したブロック図。
【図３】印刷装置ＰＲＴの構成例を示したブロック図。
【図４】パーソナルコンピュータ装置ＰＣの構成例を示したブロック図。
【図５】デジタルスチルカメラ装置ＤＳＣのメモリ媒体ＭＣの記憶領域等を例示した概略図。
【図６】レイアウト、背景画像、および、前景画像の一例を示した概略図。
【図７】回転角度および変倍態様について説明するための概略図。
【図８】ＰｉｃｔＢｒｉｄｇｅに準拠した通信プロトコルの一例を示したタイムチャート。
【図９】送信画像データの一例を示した概略図。
【図１０】デジタルスチルカメラ装置ＤＳＣの処理の一例を示したフローチャート。
【図１１】印刷装置ＰＴＲの処理の一例を示したフローチャート（続く）。
【図１２】印刷装置ＰＴＲの処理の一例を示したフローチャート（図１１の続き）。
【符号の説明】
【００８８】
ＤＳＣ  デジタルスチルカメラ
ＰＴＲ  印刷装置
ＰＣ  パーソナルコンピュータ装置
【図１】
2006080632.tif 000003
【図２】
2006080632.tif 000004
【図３】
2006080632.tif 000005
【図４】
2006080632.tif 000006
【図５】
2006080632.tif 000007
【図６】
2006080632.tif 000008
【図７】
2006080632.tif 000009
【図８】
2006080632.tif 000010
【図９】
2006080632.tif 000011
【図１０】
2006080632.tif 000012
【図１１】
2006080632.tif 000013
【図１２】
2006080632.tif 000014